(57)【要約】【課題】管口または孔を機械的に開閉する栓装置において、蓋体の着脱を容易かつ確実に行い得るようにする。【解決手段】蓋体６の裏面中央部には、円環平板形状を有する第１磁石６５が取り付けられる。また、作動軸部材５の周囲には、第１磁石６５と同一形状を有する第２磁石７１を保持する第２磁石保持部材７が取り付けられる。そして、蓋体６と作動軸部材５とは、互いに対向する位置に取り付けられた第１磁石６５および第２磁石７１の磁力（引力）によって吸着する。  このように蓋体６を磁力で作動軸部材５に吸着させることにより、蓋体６の着脱を容易かつ確実に行うことができる。【選択図】  図６
2015071902.tif 000002
【特許請求の範囲】
【請求項１】
機械的な機構によって管口または孔を開閉する栓装置であって、
第１の磁石または第１の磁性体が保持され、前記管口または孔を塞ぐための蓋体と、
第２の磁石または第２の磁性体が保持され、前記蓋体が取り付けられる作動軸部材と、
該作動軸部材を軸方向に往復動させることによって、前記蓋体に開閉動作を行わせるための開閉機構と、を備え、
前記第１の磁石または第１の磁性体と、前記第２の磁石または第２の磁性体は、前記軸方向に引力が作用するよう、前記作動軸部材の周囲に配置されている、
栓装置。
【請求項２】
請求項１記載の栓装置であって、
さらに、前記作動軸部材への前記蓋体の取付位置を規制する規制機構を備える、
栓装置。
【請求項３】
請求項１または２記載の栓装置であって、
前記第１の磁石または第１の磁性体、および、第２の磁石または第２の磁性体は、円環平板形状を有している、
栓装置。
【請求項４】
請求項１ないし３のいずれかに記載の栓装置であって、
前記第１の磁石または第１の磁性体、および、第２の磁石または第２の磁性体の少なくとも一方は、露出しない状態で取り付けられている、
栓装置。
【請求項５】
請求項１ないし４のいずれかに記載の栓装置であって、
前記第２の磁石または第２の磁性体を保持し、前記作動軸部材に着脱可能に取り付けられた磁石保持部材を有する、
栓装置。
【請求項６】
請求項５記載の栓装置であって、
前記磁石保持部材は、その中心に形成された孔を前記作動軸部材の先端側から嵌め込むよう構成されており、該磁石保持部材を前記作動軸部材の規定位置に節度感をもって保持する保持機構を備える、
栓装置。
【請求項７】
請求項６記載の栓装置であって、
前記磁石保持部材の前記孔には、さらに、前記作動軸部材が挿入される筒状部が設けられており、
前記保持機構は、前記筒状部と前記作動部材とを引っ掛けて止める爪機構である、
栓装置。
【発明の詳細な説明】
【技術分野】
【０００１】
本発明は、排水口などの管口や孔に取り付けられ、機械的に開閉可能な機構を備える栓装置に関する。
【背景技術】
【０００２】
従来、排水口などを機械的に開閉可能な排水口装置として、特許文献１記載の装置などが存在した。
図７は、従来技術としての排水口装置Ｄの断面図である。浴槽の底面に設けられた排水口付近を拡大して示した。この排水口装置Ｄでは、作動軸部材Ｌの先端部Ｌ１を、蓋体Ｖに設けられたツメＶ１にはめ込むことによって、作動軸部材Ｌに蓋体Ｖが一体的に取り付けられている。作動軸部材Ｌには、上下に往復動させるためのレリースワイヤＷが接続されている。レリースワイヤＷを操作することによって、作動軸部材Ｌおよび蓋体Ｖを上下動させることができ、排水口を開閉することができる。
【先行技術文献】
【特許文献】
【０００３】
【特許文献１】特開２０１１−２４６９０３号公報
【発明の概要】
【発明が解決しようとする課題】
【０００４】
排水口装置Ｄにおいては、蓋体Ｖの開閉を着実に行う必要がある。このため、従来技術においては、蓋体ＶのツメＶ１の弾性力は強く、蓋体Ｖが作動軸部材Ｌに固く保持されるよう構成されていた。蓋体Ｖは、洗浄やメンテナンスのため、着脱することがあるが、蓋体Ｖが作動軸部材Ｌに固く保持される結果、蓋体Ｖを作動軸部材Ｌから取り外すのに大きな力を要したり、蓋体Ｖの作動軸部材Ｌへの取付不良が生じ、排水口からの漏水が生じたりするおそれがあった。
かかる課題は、排水口装置に限るものではなく、管口または孔を機械的に開閉する種々の栓装置に共通する。本発明は、かかる課題に鑑み、栓装置において、蓋体の着脱を容易かつ確実に行い得るようにすることを目的とする。
【課題を解決するための手段】
【０００５】
本発明の装置は、機械的な機構によって管口または孔を開閉する栓装置であって、
第１の磁石または第１の磁性体が保持され、前記管口または孔を塞ぐための蓋体と、
第２の磁石または第２の磁性体が保持され、前記蓋体が取り付けられる作動軸部材と、
該作動軸部材を軸方向に往復動させることによって、前記蓋体に開閉動作を行わせるための開閉機構と、を備え、
前記第１の磁石または第１の磁性体と、前記第２の磁石または第２の磁性体は、前記軸方向に引力が作用するよう、前記作動軸部材の周囲に配置されていることを特徴とする。
【０００６】
第１の磁石または第１の磁性体と、第２の磁石または第２の磁性体は、例えば、円環、角環等の１つの環状の部材を、作動軸部材の周囲を囲むように配置してもよいし、複数の部材を、作動軸部材の周囲を取り囲むように島状に配置してもよい。以下、「第１の磁石または第１の磁性体」を「第１の磁石等」とも言う。また、「第２の磁石または第２の磁性体」を「第２の磁石等」とも言う。また、これらを総称して、「磁石等」とも言う。
第１の磁石等と、第２の磁石等は、磁力による引力（吸着力）を考慮して、吸着面同士が互いに対向するように配置することが好ましいが、軸方向に引力が作用する位置に配置すればよい。
【０００７】
本発明の栓装置では、蓋体と作動軸部材とを磁力によって吸着することができる。従って、作動軸部材から蓋体を取り外す際に、より小さい力で取り外しが可能となる。また、磁力が作用する範囲に蓋体を近づけるだけで、容易かつ確実に蓋体を作動軸部材に取り付けることができる。
また、本発明の栓装置では、磁石等は、作動軸部材の周囲に配置されているので、蓋体の作動軸部材側の面の中央に第１の磁石等を配置し、作動軸部材の先端に第２の磁石等を配置する場合よりも、軸方向（開閉方向）の長さを短くすることができ、栓装置の大型化を抑制することができる。
また、蓋体の中央と作動軸部材の先端に磁石等を配置すると、蓋体の中央部が大きく凸状となるが、本発明によれば、蓋体の形状を比較的フラットな形状とすることができる。逆に、蓋体の中央と作動軸部材の先端に磁石等を配置して、蓋体の形状をフラットな形状とすると、作動軸部材等を下方に配置しなければならなくなるため、設置作業時の開閉機構等の取り回しに不都合が生じる場合がある。
また、磁石等を、作動軸部材の周囲の広い領域に配置するので、磁石等の吸着面の面積を大きく設定することが可能となり、蓋体と作動軸部材とを安定的に吸着させることができる。
【０００８】
本発明の栓装置は、種々の管口または孔に取り付けることができる。例えば、浴槽や洗面台などの槽体から排水するための排水口、または油、粉体、気体を排出するための各種排出口などが挙げられる。
磁石または磁性体は、種々の組合せで設けることができる。蓋体および作動軸部材の双方に磁石を設けてもよいし、いずれか一方を鉄その他の磁性体としてもよい。蓋体および作動軸部材の双方に磁石を設ける場合、その極性は、吸着方向に磁力が作用する向きとする。
【０００９】
本発明の栓装置において、
さらに、前記作動軸部材への前記蓋体の取付位置を規制する規制機構を備えるようにしてもよい。
【００１０】
管口または孔を閉じるためには、蓋体の位置が重要となる。上記態様によれば、規制機構によって蓋体の取付位置が規制されるため、蓋体を適切な位置に取り付けることができる。
規制機構は、種々の構造が可能である。規制機構は、例えば、作動軸部材の中心軸と蓋体の中心とを一致させるための機構とすることができる。作動軸部材に挿入する部材、または作動軸部材を挿入する部材を蓋体に設けた構造などが該当する。
また、蓋体および作動軸部材に、厚み方向に着磁した磁石を用い、これらの磁石を同一の平面形状とすることを規制機構として適用してもよい。相互の磁石が同一形状の場合は、相互の平面形状の図心が略一致する状態が安定的な吸着位置となるため、規制機構としての機能を奏することになるのである。
【００１１】
本発明の栓装置において、
前記第１の磁石または第１の磁性体、および、第２の磁石または第２の磁性体は、円環平板形状を有しているようにしてもよい。
【００１２】
磁石等を円環平板形状とすることによって、作動軸部材の周囲のスペースに、磁石等を無駄なく配置することができる。
蓋体が第１の磁石を保持し、作動軸部材が第２の磁石を保持するものとし、第１および第２の磁石を、円環平板形状の中心が作動軸部材の軸心と一致するように配置してもよい。このような構成によって、蓋体と作動軸部材との位置ずれを抑制しつつ、これらに取り付けられた第１の磁石と第２の磁石とをバランスよく吸着させることができる。
この場合、第１の磁石と第２の磁石は、内径および外径が互いに同一の円環平板形状であることが好ましい。こうすることによって、第１および第２の磁石の磁力を吸着のために無駄なく利用することができる。
第１および第２の磁石の内径および外径は、軸方向から見たときの第１および第２の磁石の面積が、軸方向から見たときの作動軸部材の先端部の面積よりも大きくなるように設定することが好ましい。こうすることによって、第１の磁石と第２の磁石との吸着力を向上させることができる。
【００１３】
本発明の栓装置において、
前記第１の磁石または第１の磁性体、および、第２の磁石または第２の磁性体の少なくとも一方は、露出しない状態で取り付けられているようにしてもよい。
【００１４】
こうすることにより、磁石または磁性体の汚損を抑制することができ、磁力の低下を抑制することができる。
上記態様における構造としては、例えば、磁石等を蓋体および作動軸部材に取り付けた後に、これらを他の部材で覆う構造や、磁石等を封入した部材を蓋体および作動軸部材に取り付ける構造が挙げられる。
【００１５】
本発明の栓装置において、
前記第２の磁石または第２の磁性体を保持し、前記作動軸部材に着脱可能に取り付けられた磁石保持部材を有するようにしてもよい。
こうすることによって、栓装置の設置現場での栓装置の組み立てを行いやすくすることができる。
【００１６】
上記栓装置において、
前記磁石保持部材は、その中心に形成された孔を前記作動軸部材の先端側から嵌め込むよう構成されており、該磁石保持部材を前記作動軸部材の規定位置に節度感をもって保持する保持機構を備えるようにしてもよい。
【００１７】
上記構成によって、磁石保持部材を作動軸部材に装着するときに、磁石保持部材が作動軸部材の規定位置に保持されたことを、嵌め込んだときの手の感触、音、規定位置に嵌め込まれているときとそうでないときの磁石保持部材の位置のずれなどによって、感覚的に把握することができる。
上記態様においては、磁石保持部材が規定位置に保持されていない場合には、作動軸部材の先端部が外部から見えずまたは見にくく、磁石保持部材が規定位置に保持されている場合には、作動軸部材の先端部が外部から見えるまたは見やすい構造としてもよい。こうすることにより、磁石保持部材が規定位置に保持されていることを視認できる。かかる構造としては、例えば、磁石保持部材の孔に作動軸部材が挿入される筒状部を設け、磁石保持部材が規定位置に保持されていない場合には、作動軸部材の先端部が筒状部内にとどまって孔に挿入されず、磁石保持部材が規定位置に保持されている場合には、作動軸部材の先端部が孔に挿入される構造が挙げられる。
【００１８】
上記栓装置において、保持機構として、種々の構成を適用可能であり、
前記磁石保持部材の前記孔には、さらに、前記作動軸部材が挿入される筒状部が設けられており、
前記保持機構は、前記筒状部と前記作動部材とを引っ掛けて止める爪機構であるものとしてもよい。
【００１９】
上記構成において、爪機構における爪部および爪部が引っ掛かる引掛部は、筒状部および作動軸部材のいずれに設けるようにしてもよい。すなわち、筒状部側に爪部を設け、作動軸部材側に引掛部を設けるようにしてもよいし、筒状部側に引掛部を設け、作動軸部材側に爪部を設けるようにしてもよい。
爪機構によって、比較的容易に保持機構を構成することができる。
さらに、例えば、筒状部側に爪部を設け、作動軸部材側に引掛部を設ける態様において、爪部の先端部が作動軸部材側の引掛部に引っ掛かる構成としてもよい。このような構成とすれば、筒状部に作動軸部材を挿入して、爪部の先端部に作動軸部材の先端部が衝突した後、作動軸部材の先端部が磁石保持部材の孔に挿入されていないときと挿入されているときとで、作動軸部材と磁石保持部材との相対的な位置の差が比較的大きくなる。したがって、作動軸部材の先端部が磁石保持部材の孔に挿入されて、磁石保持部材が作動軸部材の規定位置に固定されたときの節度感を強くすることができる。
保持機構として、爪機構の代わりに、例えば、ボールロック機構等、節度感を付与するとともに位置を保持することが可能な他の機構を用いるようにしてもよい。
【００２０】
本発明において、上述の種々の特徴は、必ずしも全てを備えている必要はない。その一部を省略等したり、適宜、組合せたりして構成することも可能である。
【図面の簡単な説明】
【００２１】
【図１】排水口装置１の全体構成を示す説明図である。
【図２】排水口部分の拡大図（閉栓状態）である。
【図３】排水口部分の拡大図（開栓状態）である。
【図４】蓋体６の構造を示す説明図である。
【図５】作動軸部材５と第２磁石保持部材７の構造、および、作動軸部材５の先端部に第２磁石保持部材７を取り付ける様子を示す説明図である。
【図６】蓋体６の着脱構造を示す説明図である。
【図７】従来技術としての排水口装置Ｄの断面図である。
【発明を実施するための形態】
【実施例】
【００２２】
本発明の栓装置につき、浴槽の排水口に取り付ける排水口装置として構成した場合の実施例を以下に示す。
図１は、排水口装置１の全体構成を示す説明図である。排水口装置１は、浴槽１００の底板１０１に設けられた排水口１０４を開閉するための装置である。本実施例では、排水口１０４は円形であるものとする。開閉機構４を構成する操作ボタン２は、槽体１０２の上部のリム１０３に設けられている。操作ボタン２を押し下げると、その動作がレリースワイヤ３で伝達され、排水口装置１を機械的に開閉することができる。
【００２３】
図２，３は、排水口部分の拡大図である。図２に、排水口装置１が閉栓状態である場合の排水口部分を示し、図３に、排水口装置１が開栓状態である場合の排水口部分を示した。
図示する通り、排水口１０４の下部には、保持部材９およびシール１１を介して、配管に接続するための配管継手１０６が取り付けられている。保持部材９は、排水口装置１を組み付けるための環状のホルダー１０を配管継手１０６の内側に固定する役割も奏している。ホルダー１０の内部には、排水口１０４を閉じるための蓋体６を開閉する機構を支持する支持部材８が取り付けられている。保持部材９、ホルダー１０、支持部材８、配管継手１０６は、樹脂からなるものとした。また、シール１１は、ゴムからなるものとした。
支持部材８の内側には、レリースワイヤ３の動作によって上下動する作動軸部材５が挿入されており、作動軸部材５の先端には、排水口１０４を塞ぐための傘状の蓋体６が取り付けられている。作動軸部材５の周囲には、作動軸部材５を下方に付勢して閉栓するための戻しバネ５４が設けられている。
作動軸部材５と蓋体６とは、後述するように、蓋体６側の磁石（第１磁石）と作動軸部材５側の磁石（第２磁石）との磁力によって吸着されている。蓋体６には、第１磁石を保持する第１磁石保持部材が取り付けられており、作動軸部材５には、第２磁石を保持する第２磁石保持部材７が取り付けられている。これらの構造については、後から詳しく説明する。
図３に示したように、操作ボタン２が操作されて、作動軸部材５と蓋体６と第２磁石保持部材７とが、レリースワイヤ３の動作に従って、戻しバネ５４の付勢力に逆らって一体的に押し上げられると、排水口装置１は開栓する。また、図２に示したように、操作ボタン２が操作されて、レリースワイヤ３が下がると、作動軸部材５と蓋体６と第２磁石保持部材７とが、戻しバネ５４の付勢力によって下降し、排水口装置１は閉栓する。戻しバネ５４を省略して、作動軸部材５と蓋体６と第２磁石保持部材７との自重によって閉栓するようにしてもよい。
【００２４】
図４は、蓋体６の構造を示す説明図である。蓋体６の断面図を示した。蓋体６は、蓋本体６１と、カバー６２と、パッキン６３と、第１磁石保持部材６４と、第１磁石６５とを備えている。
蓋本体６１は、樹脂からなり、上側に凸に湾曲した略円盤型の部材である。以下では、凸側になっている上面を表面、逆側の下面を裏面とも呼ぶ。
蓋本体６１の表面には、ステンレス製のカバー６２が装着されている。このカバー６２によって、蓋本体６１の表面を保護するとともに、蓋体６の装飾性を向上させることができる。
蓋本体６１の裏面には、ゴムからなり、排水口１０４の周縁に当接する円環状のパッキン６３が取り付けられている。また、蓋本体６１の裏面中央部には、第１磁石保持部材６４を嵌め込むための円形の穴部６１ｈが設けられている。この穴部６１ｈの底部付近の内壁には、第１磁石保持部材６４の外周部に設けられた爪部６４ｐが引っ掛かる凹部６１が設けられている。
第１磁石保持部材６４は、樹脂からなる円環状の部材である。第１磁石保持部材６４には、円環平板状の第１磁石６５を収容するための上方に開口した円環状の凹部６４ｄが設けられている。第１磁石保持部材６４の外周部には、外周側に突起する爪部６４ｐが設けられている。
蓋本体６１における穴部６１ｈの内径Ｄ１は、第１磁石保持部材６４の外径とほぼ等しい。したがって、蓋本体６１における穴部６１ｈと第１磁石保持部材６４とは互いに嵌合する。第１磁石６５の円環形状の中心は、蓋本体６１の中心と一致している。また、蓋本体６１における穴部６１ｈの内径Ｄ１は、第２磁石保持部材７の外周部７０の外径とほぼ等しい（図５参照）。また、第１磁石保持部材６４の内径Ｄ２は、第２磁石保持部材７の先端部７３の外径とほぼ等しい（図５参照）。
凹部６４ｄ内に第１磁石６５が収容された第１磁石保持部材６４の爪部６４ｐを蓋本体６１の穴部６１ｈにおける凹部６１ｄに嵌め込むことによって、蓋体６は構成される。第１磁石６５は、露出しない状態で蓋体６に取り付けられる。こうすることによって、第１磁石６５の汚損を抑制することができ、磁力の低下を抑制することができる。例えば、インサート成形によって、蓋本体６１と第１磁石６５とを一体化するようにしてもよい。また、第１磁石６５を接着剤によって蓋本体６１に接着するようにしてもよい。
【００２５】
図５は、作動軸部材５と第２磁石保持部材７の構造、および、作動軸部材５の先端部に第２磁石保持部材７を取り付ける様子を示す説明図である。作動軸部材５の側面図および第２磁石保持部材７の断面図を示した。
作動軸部材５は、樹脂からなる略円柱形の部材である。作動軸部材５は、その上端近傍の外周面に周方向に凹部５２を形成することにより、凹部５２よりも下側の支柱部５１と凹部５２よりも上側の先端部５３とに分けられる。作動軸部材５は、その周囲に設けられた戻しバネ５４の付勢力によって、下方すなわち閉栓方向に引き込まれている。
第２磁石保持部材７は、樹脂からなる略円筒形の部材である。第２磁石保持部材７において、円筒部７２の上端近傍の外周部７０には、円環平板状の第２磁石７１が露出しない状態で収容されている。こうすることによって、第２磁石７１の汚損を抑制することができ、磁力の低下を抑制することができる。
第２磁石７１の形状、すなわち、第２磁石７１の内径および外径は、蓋体６における第１磁石６５と同一である。こうすることによって、第１磁石６５および第２磁石７１の磁力を吸着のために無駄なく利用することができる。
第１磁石６５および第２磁石７１の内径および外径は、軸方向から見たときの第１磁石６５および第２磁石７１の面積が、軸方向から見たときの作動軸部材５の先端部５３の面積よりも大きくなるように設定されている。こうすることによって、第１磁石６５と第２磁石７１との吸着力を向上させることができる。
第２磁石７１の円環形状の中心は、第２磁石保持部材７の中心と一致している。円筒部７２の内径は、支持部材８の外周に嵌るように設定されている。また、第２磁石保持部材７の先端部７３には、円形の貫通孔７３ｈが形成されている。貫通孔７３ｈの内径Ｄ３は、作動軸部材５の先端部５３の外径とほぼ等しい。
貫通孔７３ｈの下側には、径方向に弾性変形可能な複数の爪部７４が設けられている。そして、各爪部７４の先端には、内側に突起した突起部７４ｐが設けられている。突起部７４ｐの高さは、作動軸部材５における凹部５２の深さとほぼ等しい。突起部７４ｐ間の距離は、作動軸部材５の先端部５３の外径よりも短い。また、第２磁石保持部材７の先端から爪部７４の先端までの長さは、作動軸部材５における先端部５３の先端から凹部５２の下端までの長さとほぼ等しい。
【００２６】
このような第２磁石保持部材７を作動軸部材５の先端部５３に被せると、筒状部７２によって、作動軸部材５と第２磁石保持部材７との横ズレが規制されて、図５の右上に示したように、爪部７４の突起部７４ｐが作動軸部材５の先端部５３に載る。この状態から、第２磁石保持部材７を下方に押し込むと、爪部７４が径方向に弾性変形して、貫通孔７３に作動軸部材５の先端部５３が挿入され、図５の右下に示したように、突起部７４ｐが凹部５２に嵌る。つまり、作動軸部材５と第２磁石保持部材７とは、爪機構によって、規定位置に保持される。このとき、取付作業者は、爪機構によって節度感を得ることができ、第２磁石保持部材７が作動軸部材５の規定位置に固定されたことを、嵌め込んだときの手の感触、音、規定位置に嵌め込まれているときとそうでないときの第２磁石保持部材７の位置のずれなどによって、感覚的に把握することができる。第２磁石保持部材７は、上方に引っ張り上げることによって、爪部７４が弾性変形して爪機構による保持状態が解除され、作動軸部材５から取り外すことができる。
また、本実施例では、第２磁石保持部材７が作動軸部材５の規定位置に保持されていない場合には、作動軸部材５の先端部５３は貫通孔７３ｈに挿入されず、第２磁石保持部材７が作動軸部材５の規定位置に保持されている場合には、作動軸部材５の先端部５３は貫通孔７３ｈに挿入される。このとき、第２磁石保持部材７の先端と作動軸部材５の先端とがほぼフラットになる。こうすることによって、取付作業者は、第２磁石部材７が作動軸部材５の規定位置に取り付けられたことを視認することができる。
本実施例では、爪機構として、第２磁石保持部材７に爪部７４を設け、作動軸部材５に凹部５２を設けるものとしたが、作動軸部材５に爪部を設け、第２磁石保持部材に凹部を設けるようにしてもよい。
また、本実施例では、第２磁石保持部材７は、爪機構によって、作動軸部材５に保持されるものとしたが、爪機構の代わりに、例えば、ボールロック機構等、節度感を付与するとともに位置を保持することが可能な他の機構を用いるようにしてもよい。
【００２７】
図６は、蓋体６の着脱構造を示す説明図である。図の上方に蓋体６、下方に第２磁石保持部材７が取り付けられた作動軸部材５および支持部材８を分離した状態で示した。蓋体６、第２磁石保持部材７、支持部材８については断面図を示し、作動軸部材５については側面図を示した。
先に説明した通り（図４，５参照）、蓋体６における穴部６１ｈの内径Ｄ１は、第２磁石保持部材７の外周部７０の外径とほぼ等しい。また、第１磁石保持部材６４の内径Ｄ２は、第２磁石保持部材７の先端部７３の外径とほぼ等しい。そして、第２磁石保持部材７の先端部７３は、第１磁石保持部材６４の内径部に嵌合し、第２磁石保持部材７の外周部７０は、蓋体６における穴部６１ｈに嵌合する。つまり、これらの機構によって、作動軸部材５の中心軸と蓋体６の中心とが一致するように、作動軸部材５への蓋体６の取付位置が規制されている。本実施例では、上述した２段階の嵌合構造によって、作動軸部材５への蓋体６の取付位置が規制されている。
また、蓋体６側の第１磁石６５と作動軸部材５側の第２磁石７１とは、軸方向に引力が作用するよう、つまり、Ｓ極とＮ極とが対向し、吸着面が軸方向に対して垂直になる状態で、作動軸部材５の周囲に配置されている。そして、蓋体６と作動軸部材７とは、図中に矢印で示したように、第１磁石６５と第２磁石７１との磁力によって吸着される。
このような着脱構造によって、蓋体６と作動軸部材５との位置ずれを抑制しつつ、これらを適正な位置にバランスよく取り付けることができる。そして、蓋体６が排水口を偏りなく塞ぐことが可能となる。
第１磁石６５および第２磁石７１は同一の円環平板形状であるものとしたが、他の形状としてもよい。例えば、第１磁石６５および第２磁石７１として、角環形状の磁石を用いるようにしてもよいし、複数の磁石を作動軸部材５の周囲を取り囲むように島状に配置するようにしてもよい。
第１磁石６５および第２磁石７１の素材は、種々選択可能であるが、蓋体６を堅固に保持可能とするため、ネオジム系を用いることが好ましい。
蓋体６を作動軸部材５に磁力で吸着させるためには、第１磁石６５および第２磁石７１の一方を、鉄などの磁性体に置き換えてもよい。
本実施例では、作動軸部材５、蓋体６、第２磁石保持部材７の平面形状は円形であるものとしたが、その他の形状としてもよい。
【００２８】
以上で説明した実施例の排水口装置１によれば、蓋体６を磁力で作動軸部材５に吸着させることができる。従って、蓋体６の着脱を容易かつ確実に行うことができる。
また、実施例の排水口装置１では、第１磁石６５および第２磁石７１は、作動軸部材５の周囲に配置されているので、蓋体６の裏面中央に第１磁石を配置し、作動軸部材５の先端部に第２磁石を配置する場合よりも、軸方向の長さを短くすることができ、排水口装置１の大型化を抑制することができる。
また、蓋体６の裏面中央に第１磁石を配置し、作動軸部材５の先端に第２磁石を配置する場合には、蓋体６の形状を上面中央部が上側に大きく凸状となるが、本実施例によれば、蓋体６の上面の形状を比較的フラットな形状とすることができる。
また、第１磁石６５および第２磁石７１を上述した配置とすることによって、蓋体６の裏面中央に第１磁石を配置し、作動軸部材５の先端部に第２磁石を配置する場合よりも、磁石の吸着面の面積を大きく設定することが可能となり、蓋体６と作動軸部材５とを安定的に吸着させることができる。
また、実施例の排水口装置１では、第２磁石７２は、第２磁石保持部材７によって保持されて、作動軸部材５に着脱可能に取り付けられている。したがって、排水口装置１の設置現場での排水口装置１の組み立てを行いやすくすることができる。
【００２９】
以上、本発明の実施例について説明した。以上の実施例で説明した種々の特徴は、必ずしも全てを備えている必要はなく、一部を省略したり、適宜、組み合わせて用いたりしてもよい。
また、本発明は、上述の実施例に限らず、種々の変形例をとることができる。
例えば、実施例では、円形の排水口に適用する例を示したが、本発明の排水口装置は、非円形の排水口に適用することもできる。また、排水口以外にも、油、気体など種々の管口や孔の開閉に適用可能である。
【産業上の利用可能性】
【００３０】
本発明は、排水口などの管口や孔に取り付けられ、機械的に開閉可能な機構を備える栓装置の着脱構造に適用することができる。
【符号の説明】
【００３１】
１…排水口装置
２…操作ボタン
３…レリースワイヤ
４…開閉機構
５…作動軸部材
５１…支柱部
５２…凹部
５３…先端部
５４…戻しバネ
６…蓋体
６１…蓋本体
６１ｈ…穴部
６１ｄ…凹部
６２…カバー
６３…パッキン
６４…第１磁石保持部材
６４ｄ…凹部
６４ｐ…爪部
６５…第１磁石
７…第２磁石保持部材
７０…外周部
７１…第２磁石
７２…円筒部
７３…先端部
７３ｈ…貫通孔
７４…爪部
７４ｐ…突起部
８…支持部材
９…保持部材
１０…ホルダー
１１…シール
１００…浴槽
１０１…底板
１０２…槽体
１０３…リム
１０４…排水口
１０６…配管継手
【図１】
2015071902.tif 000003
【図２】
2015071902.tif 000004
【図３】
2015071902.tif 000005
【図４】
2015071902.tif 000006
【図５】
2015071902.tif 000007
【図６】
2015071902.tif 000008
【図７】
2015071902.tif 000009